(57)【要約】【課題】高層ないし超高層の集合住宅建物に適用して好適な構造を提供する。【解決手段】外周架構Ａと内部架構Ｂとフラットスラブ１とを主体とする建物の構造であって、外周架構Ａを外周柱２と外周梁３とによるラーメン架構により形成するとともに、内部架構Ｂを内部柱４と内部梁５とによるチューブラーメン架構により形成して、その内部架構Ｂにおける内部柱４を外周架構Ａにおける外周柱２よりも密に配置する。フラットスラブ１に段差を設けて、内部架構Ｂの内側およびその外側周縁部における床レベルを下げることにより、配管スペース６としての二重床空間を設ける。【選択図】      図１
2004251056.tif 000002
【特許請求の範囲】
【請求項１】
外周架構と内部架構とフラットスラブとを主体とする建物の構造であって、外周架構を外周柱と外周梁とによるラーメン架構により形成するとともに、内部架構を内部柱と内部梁とによるチューブラーメン架構により形成して、その内部架構における内部柱の柱間隔を外周架構における外周柱の柱間隔よりも小さく設定することを特徴とする建物の構造。
【請求項２】
フラットスラブに段差を設けて、内部架構の内側およびその外側周縁部における床レベルを下げることにより、配管スペースとしての二重床空間を設けることを特徴とする請求項１記載の建物の構造。
【発明の詳細な説明】
【０００１】
【発明の属する技術分野】
本発明は建物の構造に係わり、特にたとえば高層ないし超高層の集合住宅建物に適用して好適な構造に関する。
【０００２】
【従来の技術】
この種の建物の構造として、チューブ状の架構を主体とするいわゆるチューブ構造が知られており、たとえば特許文献１には三重のチューブ架構による構造が提案されている。
【０００３】
これは、外周チューブ架構と、内周チューブ架構と、コアチューブ架構とを同軸状に設けるものであって、特に建物中心部（コア部）に設けるコアチューブ架構として高剛性の鉄筋コンクリート造の連層耐震壁を採用したものである。このような構造によれば、優れた構造安定性と耐震性を確保できるばかりでなく、無梁のフラットスラブを採用することが可能であるので室内に梁形や柱形が大きく突出することがなく、集合住宅建物の構造として好適であるとされている。
【０００４】
【特許文献１】
特開２００１−２８８９２１号公報
【０００５】
【発明が解決しようとする課題】
ところで、上記従来のチューブ構造ではコアチューブ架構として連層耐震壁を採用していることから、その連層耐震壁に設ける開口部の大きさや位置が制約を受けるし、また連層耐震壁は壁厚が大きく配筋量の多大な高剛性の鉄筋コンクリート壁であるからその施工は煩雑で必ずしも容易ではなく、その点で上記従来のチューブ構造は改善の余地があり、より合理的な構造の開発が望まれていた。
【０００６】
【課題を解決するための手段】
請求項１の発明は、外周架構と内部架構とフラットスラブとを主体とする建物の構造であって、外周架構を外周柱と外周梁とによるラーメン架構により形成するとともに、内部架構を内部柱と内部梁とによるチューブラーメン架構により形成して、その内部架構における内部柱の柱間隔を外周架構における外周柱の柱間隔よりも小さく設定することを特徴とする。
【０００７】
請求項２の発明は、請求項１の発明の建物の構造において、フラットスラブに段差を設けて、内部架構の内側およびその外側周縁部における床レベルを下げることにより、配管スペースとしての二重床空間を設けることを特徴とする。
【０００８】
【発明の実施の形態】
図１は本発明の実施形態である構造による建物の架構を示す基準階平面図である。この建物は高層ないし超高層の鉄筋コンクリート造の集合住宅建物であって、その架構は、外周架構Ａと、内部架構Ｂと、フラットスラブ１を主体とするものである。
【０００９】
外周架構Ａは鉄筋コンクリート造の外周柱２と外周梁３とにより構成されたラーメン架構によるもので、外周柱２の柱間隔（すなわち外周梁３のスパン長）はラーメン架構として経済的なスパンである５〜７ｍ程度に設定されている。また、内部架構Ｂは同じく鉄筋コンクリート造の内部柱４と内部梁５とにより構成されたものであるが、内部柱４は充分に密に設けられることでこの内部架構Ｂは連層耐震壁によるチューブ架構と同様に機能するチューブラーメン架構によるものとされている。本例では、内部架構Ｂにおける内部柱４の柱間隔（したがって内部梁５のスパン長）は外周柱２の柱間隔よりも充分に小さくされ、たとえば３ｍ程度に設定されている。
【００１０】
本実施形態における基準階のプランは、内部架構Ｂの内側が階段やエレベータ、パイプシャフト等の共用設備が集約された共用ゾーンとされ、その外側に共用廊下が回廊のように設けられ、その外側が各住戸を区画して設ける住戸ゾーンとされている。住戸内のプランとしては、共用廊下側にキッチンや浴室、洗面所等が集約される水廻りゾーンとされることが通常であるので、そのため図１に鎖線で示す範囲すなわち内部架構Ｂの内側とその外側周縁部の範囲は床レベルが下げられて配管スペース６としての二重床空間が確保されるようになっている。
【００１１】
そして、本実施形態における各階のスラブは上記のようにフラットスラブ１が採用されていて、それにより住戸ゾーンは実質的に無梁無柱空間として確保できるものとなっている。フラットスラブ１としては各種の構造が採用可能であり、たとえばボイドスラブやハーフＰＣスラブ等が好適に採用可能である。また、上記の配管スペース６は、フラットスラブ１に段差部を設けることで小梁を必要とすることなく支障なく設けることができる。
【００１２】
なお、外周梁３および内部梁５としては梁幅が梁成と同等程度の扁平断面の梁を採用することが好ましい。また、内部架構Ｂの剛性をより高めるために内部梁５の主筋をＸ状に組むことが考えられる。さらに内部梁５の一部を大地震時には降伏させて振動エネルギーを吸収する制震ダンパーとして機能させることも考えられる。さらに、図示例のものでは内部架構Ｂの内側にも柱７および梁８を設け、内部架構Ｂと外周架構Ａとの間にも要所に大梁９を設けているが、それらは必要に応じて設ければ良く、不要であれば省略して良い。
【００１３】
本実施形態の構造は、外周架構Ａと内部架構Ｂとフラットスラブ１とにより優れた構造的安全性と耐震性を有し、また無梁のフラットスラブ１の採用により室内への梁形や柱形の突出を最小限とし得るから快適で設計自由度の高い優れた空間を確保することができることは言うに及ばず、特に内部架構Ｂを従来のように連層耐震壁によるのではなく内部柱４と内部梁５とによるチューブラーメン架構を採用したので、コア部に設ける開口部の大きさや位置に制約を受けることがなく、したがって連層耐震壁による従来の構造に比較して設計自由度をより高めることができるし、施工性を充分に改善でき、コスト的にも有利である。
【００１４】
勿論、内部柱４を３ｍ程度の間隔で充分に密に設け、したがって内部梁５のスパン長を充分に小さくすることで、内部架構Ｂとしてのチューブラーメン架構に必要とされる剛性は支障なく確保できる。また、外周架構Ａは内部架構Ｂとは独立に最適設計が可能であって、外周柱２は通常の経済的な間隔で設ければ良いから合理的であるし、外周部に充分な大きさの開口部を支障なく設けることができ、図示例のように外壁のコーナー部における隅柱を無くすことで良好な眺望を確保することも可能である。
【００１５】
また、内部架構Ｂの内側およびその外側周縁部の範囲に配管スペースとしての二重床空間６を確保することで、住戸内の水回りスペースや共用部における配管配線類の敷設や保守、将来的なリニューアルを行ううえで極めて有効であるし、そのような配管スペース６はフラットスラブ１自体に段差を設けることのみで何等支障なく容易に設けることができる。
【００１６】
なお、本発明は上記実施形態に限定されるものでは勿論なく、外周架構をラーメン架構とし、内部架構として内部柱を密に配置したチューブラーメン架構を採用し、床の構造として無梁のフラットスラブを採用する限りにおいて、様々な規模、形態、用途の建物に広く適用できるものであるし、建物の規模や形態、用途に応じて適宜の設計的変更が可能であることは言うまでもない。
【００１７】
【発明の効果】
請求項１の発明は、外周架構をラーメン架構とし、内部架構を内部柱を密に設けたチューブラーメン架構とし、床の構造として無梁のフラットスラブを採用したので、優れた構造的安全性と耐震性を有し、また梁形や柱形の突出を無くして快適で設計自由度の高い空間を確保することができることはもとより、特に内部架構としてチューブラーメン架構を採用したことにより、従来の連層耐震壁による場合に較べてコア部に設ける開口部の大きさや位置に制約を受けることがなく、施工性を改善でき、コスト的にも有利である、という格別の効果を奏する。
【００１８】
請求項２の発明は、フラットスラブに段差を設けて、内部架構の内側およびその外側周縁部における床レベルを下げることにより、配管スペースとしての二重床空間を設けるので、住戸内の水回りスペースや共用部における配管配線類の敷設や保守、将来的なリニューアルを行ううえで極めて有効であるし、そのような配管スペースをフラットスラブ自体に段差を設けることのみで何等支障なく容易に設けることができる。
【図面の簡単な説明】
【図１】本発明の実施形態である構造による建物の基準階の架構を示す平面図である。
【符号の説明】
Ａ  外周架構（ラーメン架構）
Ｂ  内部架構（チューブラーメン架構）
１  フラットスラブ
２  外周柱
３  外周梁
４  内部柱
５  内部梁
６  配管スペース（二重床空間）
【図１】
2004251056.tif 000003